(57)【要約】  デュアル伝送ストリーム生成装置を開示する。  本発明の装置は、ターボストリームを受信してイレーザーエンコードするイレーザーエンコーダ、イレーザーエンコードされたターボストリームに対するパリティ挿入領域を設けるデュプリケータ及びノーマルストリームを受信し、デュプリケータで処理されたターボストリームとノーマルストリームを多重化してデュアル伝送ストリームを生成するＭＵＸとを含む。デュプリケータは１／２レート変換方式または１／４レート変換方式を用いてパリティ挿入領域を設けることができる。よって、デュアル伝送ストリームの伝送に先立ってターボストリームのみを検出してパリティ挿入領域内にパリティを挿入することにより、ターボストリームのよりロバストな処理が実現される。
2009524941.tif 000002
【特許請求の範囲】
【請求項１】
ターボストリームを受信してイレーザーエンコードするイレーザーエンコーダと、
前記イレーザーエンコードされたターボストリームに対するパリティ挿入領域を設けるデュプリケータと、
ノーマルストリームを受信し、前記デュプリケータで処理されたターボストリームと前記ノーマルストリームとを多重化してデュアル伝送ストリームを生成するＭＵＸと、を含むことを特徴とするデュアル伝送ストリーム生成装置。
【請求項２】
前記ターボストリームに対するリードソロモンエンコードを行って前記デュプリケータに提供するリードソロモンエンコーダをさらに含むことを特徴とする請求項１に記載のデュアル伝送ストリーム生成装置。
【請求項３】
前記ターボストリームをインターリビングするインターリーバをさらに含むことを特徴とする請求項２に記載のデュアル伝送ストリーム生成装置。
【請求項４】
前記デュプリケータは、
前記ターボストリームを構成する各バイトを１／２レート変換方式で変換して、２つのバイトを生成することを特徴とする請求項１に記載のデュアル伝送ストリーム生成装置。
【請求項５】
前記デュプリケータは、
前記ターボストリームを構成する各バイトを４ビットずつ分けて２つのビットグループに区分し、各ビットグループの各ビットごとに１つのヌルビットを並列配置して前記２つのバイトを生成することを特徴とする請求項４に記載のデュアル伝送ストリーム生成装置。
【請求項６】
前記デュプリケータは、
前記ターボストリームを構成する各バイトを１／４レート変換方式で変換して、４つのバイトを生成することを特徴とする請求項１に記載のデュアル伝送ストリーム生成装置。
【請求項７】
前記デュプリケータは、
前記ターボストリームを構成する各バイトを２ビットずつ分けて４つのビットグループに区分し、各ビットグループの各ビットごとに３つのヌルビットを並列配置して前記４つのバイトを生成することを特徴とする請求項６に記載のデュアル伝送ストリーム生成装置。
【請求項８】
前記リードソロモンエンコーダは、
１８４バイトのターボストリームごとに２０バイトのパリティを付加することを特徴とする請求項２に記載のデュアル伝送ストリーム生成装置。
【請求項９】
前記デュアル伝送ストリームは、
複数個のパケットが連結されたフィールドを含み、
前記フィールド上に既に設定された間隔で位置するパケットに前記ターボストリームが配置されたことを特徴とする請求項１に記載のデュアル伝送ストリーム生成装置。
【請求項１０】
前記デュアル伝送ストリームは、
受信性能を改善するため、ＡＴＳＣ  ＶＳＢシステム上でブロードキャストされることを特徴とする請求項１に記載のデュアル伝送ストリーム生成装置。
【請求項１１】
（ａ）ターボストリームを受信してイレーザーエンコードするステップと、
（ｂ）前記イレーザーエンコードされたターボストリームに対してパリティ挿入領域を設けるステップと、
（ｃ）ノーマルストリームを受信して、前記パリティ挿入領域が設けられたターボストリームと前記ノーマルストリームを多重化してデュアル伝送ストリームを生成するステップと、を含むことを特徴とするデュアル伝送ストリーム生成方法。
【請求項１２】
前記受信されたターボストリームに対するリードソロモンエンコードを行うステップをさらに含むことを特徴とする請求項１１に記載のデュアル伝送ストリーム生成方法。
【請求項１３】
前記ターボストリームをインターリービングするステップをさらに含むことを特徴とする請求項１２に記載のデュアル伝送ストリーム生成方法。
【請求項１４】
前記（ａ）ステップは、
前記ターボストリームを構成する各バイトを１／２レート変換方式で変換して、２つのバイトを生成することを特徴とする請求項１１に記載のデュアル伝送ストリーム生成方法。
【請求項１５】
前記（ａ）ステップは、
前記ターボストリームを構成する各バイトを４ビットずつ分けて２つのビットグループに区分し、各ビットグループの各ビットごとに１つのヌルビットを並列配置して前記２つのバイトを生成することを特徴とする請求項１４に記載のデュアル伝送ストリーム生成方法。
【請求項１６】
前記（ａ）ステップは、
前記ターボストリームを構成する各バイトを１／４レート変換方式で変換して、４つのバイトを生成することを特徴とする請求項１１に記載のデュアル伝送ストリーム生成方法。
【請求項１７】
前記（ａ）ステップは、
前記ターボストリームを構成する各バイトを２ビットずつ分けて４つのビットグループに区分し、各ビットグループの各ビットごとに３つのヌルビットを並列配置して前記４つのバイトを生成することを特徴とする請求項１６に記載のデュアル伝送ストリーム生成方法。
【請求項１８】
前記リードソロモンエンコードは１８４バイトのターボストリームごとに２０バイトのパリティを付加することを特徴とする請求項１２に記載のデュアル伝送ストリーム生成方法。
【請求項１９】
前記デュアル伝送ストリームは、
複数個のパケットが連結されたフィールドを含み、
前記フィールド上に既に設定された間隔で位置するパケットに前記ターボストリームが配置されたことを特徴とする請求項１１に記載のデュアル伝送ストリーム生成方法。
【請求項２０】
前記デュアル伝送ストリームは、
受信性能を改善するため、ＡＴＳＣ  ＶＳＢシステム上でブロードキャストされることを特徴とする請求項１１に記載のデュアル伝送ストリーム生成方法。
【請求項２１】
デュアル伝送ストリーム内にロバストターボストリームを生成するデュアル伝送ストリーム生成装置において、
ターボストリームを受信し、前記ターボストリームに対するパリティ挿入領域を設けるデュプリケータと、
ノーマルストリームを受信し、前記デュプリケータにより処理されたターボストリームと前記ノーマルストリームとを多重化して前記デュアル伝送ストリームを生成するＭＵＸと、を含むことを特徴とするデュアル伝送ストリーム生成装置。
【請求項２２】
デュアル伝送ストリーム内にロバストターボストリームを生成するデュアル伝送ストリーム生成方法において、
ターボストリームを受信するステップと、
前記ターボストリームに対するパリティ挿入領域を設けるステップと、
ノーマルストリームを受信し、前記デュプリケータにより処理されたターボストリームと前記ノーマルストリームとを多重化して前記デュアル伝送ストリームを生成するステップと、を含むことを特徴とするデュアル伝送ストリーム生成方法。
【発明の詳細な説明】
【技術分野】
【０００１】
本発明はデジタル放送用ノーマルストリームとターボストリームを含むデュアル伝送ストリームを生成するデュアル伝送ストリーム生成装置及びその方法に関し、より詳しくは、米国向け地上波ＤＴＶシステムであるＡＴＳＣ  ＶＳＢ方式の受信性能を向上させるため、ノーマルストリームとロバスト処理されるターボストリームを含むデュアル伝送ストリームを生成することにより、デジタル放送性能の向上を図るデュアル伝送ストリーム生成装置及びその方法に関する。
【背景技術】
【０００２】
米国向け地上波デジタル放送システムであるＡＴＳＣ（Advanced  Television  Systems  Committee）ＶＳＢ（Vestigial  Side  Band）方式はシングルキャリアー方式であり、３１２セグメント単位でフィールド同期信号（field sync）が使われている。このため、劣悪なチャネル、特にドップラーフェージングチャネルにおける受信性能が良くない。
【０００３】
図１は一般の米国向け地上波デジタル放送システムであってＡＴＳＣ  ＤＴＶ規格による送受信器を示すブロック図である。図１のデジタル放送送信器はPhilips社が提案したＥＶＳＢ  ｓｙｓｔｅｍとして、基準ＡＴＳＣ  ＶＳＢシステムのノーマルデータ（Normal  data）にロバストデータ（Robust  data）を追加したデュアルストリーム（Dual  stream）を形成して伝送することができるように構成した方式である。
【０００４】
図１に示すように、デジタル放送送信器は、デュアルストリームをランダム化させるランダム化部１１、伝送過程でチャネル特性により発生するエラーを訂正するため伝送ストリームにパリティバイトを追加するコンキャティネイト符号化器（Concatenated  coder）形態であるリードソロモンエンコーダ（Reed-Solomon  encoder）１２、ＲＳエンコードされたデータを所定パターンによりインターリービングを行うインターリーバ１３及びインターリービングされたデータに対し２／３比率でトレリスエンコードを行い８レベルシンボルでマッピングを行うトレリスエンコーダ（２／３rate  trellis  encoder）１４を含み、デュアルストリームに対するエラー訂正符号化を行う。
【０００５】
さらに、デジタル放送送信器は、エラー訂正符号化が行われたデータに対して図２のデータフォマットのようにフィールドシンク（field  Sync）とセグメントシンク（Segment  Sync）を挿入する多重化部１５及びセグメント同期信号とフィールド同期信号が挿入されたデータシンボルに所定のＤＣ値を付加してパイロットトーンを挿入しパルス成形してＶＳＢ変調を行い、ＲＦチャネル帯域の信号に変換（up-converting）して伝送する変調部１６を含む。
【０００６】
これにより、デジタル放送送信器はノーマルデータとロバストデータを１つのチャネルで送信するデュアルストリーム方式に従ってノーマルデータとロバストデータが多重化されて（図示せず）ランダム化部１１に入力される。入力されたデータはランダム化部１１によりデータランダム化し、ランダム化されたデータは外符号化器（Outer  coder）であるリードソロモンエンコーダ１２を介して外符合化し、インターリーバ１３を介して符号化されたデータを分散させる。さらに、インターリービングされたデータを１２シンボル単位でトレリスエンコード部１４により内符合化して、内符合化されたデータに対し８レベルシンボルでマッピングを行った後、フィールド同期信号とセグメント同期信号を挿入し、その後パイロットトーンを挿入してＶＳＢ変調を実現しＲＦ信号に変換して伝送するようになる。
【０００７】
一方、図１のデジタル放送受信器はチャネルを介して受信されたＲＦ信号を基底信号に変換するチューナ（図示せず）、変換された基底信号に対し同期検出及び復調を行う復調部２１、復調された信号に対しマルチパスにより発生したチャネルの歪みを補償する等化部２２、等化された信号に対しエラーを訂正しシンボルデータに復号するビタビデコーダ２３、デジタル放送送信器のインターリーバ１３により分散されたデータを再整列するデインターリーバ２４、エラーを訂正するＲＳデコーダ２５、ＲＳデコーダ２５により訂正されたデータを逆ランダム化（derandomize）してＭＰＥＧ−２伝送ストリームを出力する逆ランダム化部２６を含む。
【０００８】
このように、図１のデジタル放送受信機はデジタル放送送信器の逆過程としてＲＦ信号を基底帯域に変換（Down-converting）し、変換された信号を復調及び等化した後、チャネルデコーディングを行い元信号を復元する。
【０００９】
図２は米国向けデジタル放送（８−ＶＳＢ）システムのセグメント同期信号及びフィールド同期信号が挿入されたＶＳＢデータフレームを示す。図示するように、１つのフレームは２つのフィールドで構成され、１つのフィールドは第１セグメントである１つのフィールド同期信号セグメント（field  sync  segment）と、３１２個のデータセグメントとで構成される。また、ＶＳＢデータフレームで１つのセグメントはＭＰＥＧ−２パケット１つに対応し、１つのセグメントは４シンボルのセグメント同期信号（segment  sync）と８２８個のデータシンボルで構成される。
【００１０】
図２のように、同期信号であるセグメント同期信号とフィールド同期信号はデジタル放送受信機側で同期及び等化のために使用される。すなわち、フィールド同期信号及びセグメント同期信号は、デジタル放送送信器及び受信機の間で既に知られたデータとして受信器側で等化を行う際に基準信号（Reference  Signal）として使用される。
【００１１】
図１の米国向け地上波デジタル放送システムは、既存ＡＴＳＣ  ＶＳＢシステムのノーマルデータにロバストデータを追加してデュアルストリームを形成して伝送することができるように構成された方式で、既存のノーマルデータとロバストデータを一緒に伝送する。
【００１２】
しかし、図１の米国向け地上波デジタル放送システムは、ロバストデータの追加によるデュアルストリーム伝送にも拘わらず、既存のノーマルデータストリーム伝送によるマルチパスチャネルにおける劣悪な受信性能を改善する効果は殆どないという問題点がある。すなわち、ノーマルストリームの改善による受信性能の改善効果が殆どないという問題点がある。さらに、ターボストリームに対してもマルチパス環境で受信性能の改善効果が大きくないという問題点があった。そこで、ターボストリームのよりロバストな処理を実現できる形態のデュアル伝送ストリームを生成する必要性が台頭している。
【特許文献１】韓国特許公開第２００４−００６３７７９号公報
【特許文献２】韓国特許公開第２００３−００２６２３６号公報
【特許文献３】韓国特許公開第２００５−００７７２５５号公報
【特許文献４】韓国特許公開第２００２−００９４４２６号公報
【特許文献５】韓国特許公開第２００３−０００７８４７号公報
【特許文献６】米国特許公開第２００２０１９４５７０号公報
【発明の開示】
【発明が解決しようとする課題】
【００１３】
そこで、本発明は上記従来の問題点に鑑みてなされたものであって、本発明の目的は、米国向け地上波ＤＴＶシステムであるＡＴＳＣ  ＶＳＢ方式の受信性能を向上させるために、ノーマルストリームとターボストリームを含むデュアル伝送ストリームを生成し、特に、ターボストリームの雑音を取り除いた後、パリティ挿入のための領域を設けることにより、ターボストリームをよりロバストな処理が可能としたデュアル伝送ストリーム生成装置及びその方法を提供することにある。
【課題を解決するための手段】
【００１４】
上記目的を達成するためになされた本発明の一実施例によるデュアル伝送ストリーム生成装置は、ターボストリームを受信してイレーザーエンコードするイレーザーエンコーダ、前記イレーザーエンコードされたターボストリームに対するパリティ挿入領域を設けるデュプリケータ及びノーマルストリームを受信し、前記デュプリケータで処理されたターボストリームと前記ノーマルストリームとを多重化してデュアル伝送ストリームを生成するＭＵＸを含む。
【００１５】
好ましくは、前記ターボストリームに対するリードソロモンエンコードを行い前記デュプリケータに提供するリードソロモンエンコーダをさらに含む。
【００１６】
より好ましくは、前記ターボストリームをインターリービングするインターリーバをさらに含む。
【００１７】
一方、前記デュプリケータは、前記ターボストリームを構成する各バイトを１／２レート変換方式で変換し、２つのバイトを生成することを特徴とする。
【００１８】
この場合、前記デュプリケータは、前記ターボストリームを構成する各バイトを４ビットずつ分けて２つのビットグループに区分し、各ビットグループの各ビットごとに１つのヌルビットを並列配置して前記２つのバイトを生成することを特徴とする。
【００１９】
さらに、前記デュプリケータは、前記ターボストリームを構成する各バイトを１／４レート変換方式で変換して、４つのバイトを生成することを特徴とする。
【００２０】
この場合、前記デュプリケータは、前記ターボストリームを構成する各バイトを２ビットずつ分けて４つのビットグループに区分し、各ビットグループの各ビットごとに３つのヌルビットを並列配置して前記４つのバイトを生成することを特徴とする。
【００２１】
さらに好ましくは、前記リードソロモンエンコーダは、１８４バイトのターボストリーム別に２０バイトのパリティを付加する。
【００２２】
さらに、本発明のデュアル伝送ストリーム生成装置で生成されるデュアル伝送ストリームは、複数個のパケットが連結されたフィールドを含み、前記フィールド上で既に設定された間隔で位置するパケットに前記ターボストリームが配置される形態で実現されることを特徴とする。
【００２３】
好ましくは、前記デュアル伝送ストリームは、受信性能を改善するため、ＡＴＳＣ  ＶＳＢシステム上にブロードキャストされる。
【００２４】
一方、本発明の一実施例によるデュアル伝送ストリーム生成方法は、（ａ）ターボストリームを受信してイレーザーエンコードするステップ、（ｂ）前記イレーザーエンコードされたターボストリームに対してパリティ挿入領域を設けるステップ、及び（ｃ）ノーマルストリームを受信し、前記パリティ挿入領域が設けられたターボストリームと前記ノーマルストリームを多重化してデュアル伝送ストリームを生成するステップを含む。
【００２５】
好ましくは、前記受信されたターボストリームに対するリードソロモンエンコードを行うステップをさらに含む。
【００２６】
より好ましくは、前記ターボストリームをインターリービングするステップをさらに含む。
【００２７】
一方、前記（ａ）ステップは、前記ターボストリームを構成する各バイトを１／２レート変換方式で変換して２つのバイトを生成することを特徴とする。
【００２８】
この場合、前記（ａ）ステップは、前記ターボストリームを構成する各バイトを４ビットずつ分けて２つのビットグループに区分し、各ビットグループの各ビットごとに１つのヌルビットを並列配置して前記２つのバイトを生成することを特徴とする。
【００２９】
または、前記（ａ）ステップは、前記ターボストリームを構成する各バイトを１／４レート変換方式で変換して４つのバイトを生成することを特徴とする。
【００３０】
この場合、前記（ａ）ステップは、前記ターボストリームを構成する各バイトを２ビットずつ分けて４つのビットグループに区分し、各ビットグループの各ビットごとに３つのヌルビットを並列配置して前記４つのバイトを生成することを特徴とする。
【００３１】
好ましくは、前記リードソロモンエンコードは１８４バイトのターボストリームごとに２０バイトのパリティを付加する方式で行われる。
【００３２】
より好ましくは、前記デュアル伝送ストリームは、複数個のパケットが連結されたフィールドを含み、前記フィールド上に既に設定された間隔で位置するパケットに前記ターボストリームが配置された形態を有する。
【００３３】
好ましくは、前記デュアル伝送ストリームは、受信性能を改善するため、ＡＴＳＣ  ＶＳＢシステム上にブロードキャストされる。
【００３４】
また、他の実施例によれば、デュアル伝送ストリーム内にロバストターボストリームを生成するデュアル伝送ストリーム生成装置は、ターボストリームを受信し、前記ターボストリームに対するパリティ挿入領域を設けるデュプリケータ、ノーマルストリームを受信し、前記デュプリケータにより処理されたターボストリームと前記ノーマルストリームをマックシングして前記デュアル伝送ストリームを生成するＭＵＸを含むことを特徴とする。
【００３５】
さらに、他の実施例によれば、デュアル伝送ストリーム内にロバストターボストリームを生成するデュアル伝送ストリーム生成方法は、ターボストリームを受信するステップ、前記ターボストリームに対するパリティ挿入領域を設けるステップ、及び、ノーマルストリームを受信し、前記デュプリケータにより処理されたターボストリームと前記ノーマルストリームとを多重化して前記デュアル伝送ストリームを生成するステップを含むことを特徴とする。
【発明の効果】
【００３６】
以上説明したように、本発明によると、米国向け地上波ＤＴＶシステムであるＡＴＳＣ  ＶＳＢ方式の受信性能を向上させるために、ノーマルストリームとターボストリームを含むデュアル伝送ストリームを生成する。この場合、ターボストリームに対してはイレーザーエンコードを行って雑音を取り除いた後、パリティ挿入領域を設けることにより、ターボストリームをよりロバストな処理が可能となる。さらに、本発明のデュアル伝送ストリーム生成装置は、既存のノーマルデータ伝送システムと互換性を有すると同時に、多様な受信環境における受信性能を簡単な構造のシステムだけで改善することができるという効果がある。
【発明を実施するための最良の形態】
【００３７】
以下、添付した図面を参照して本発明の好ましい実施例を詳細に説明する。
【００３８】
図３は本発明の一実施例によるデュアル伝送ストリーム生成装置の構成を示すブロック図である。図３に示すように、本発明のデュアル伝送ストリーム生成装置３００は、デュプリケータ３１０、ＭＵＸ３２０、イレーザーエンコーダ３５０、リードソロモンエンコーダ３３０、インターリーバ３４０を含む。
【００３９】
イレーザーエンコーダ３５０は、外部からターボストリームを受信してターボストリームの雑音を取り除くイレーザーエンコードを行う。ターボストリームは放送撮影装置などの外部モジュールや、圧縮処理モジュール（例えば、ＭＰＥＧ２モジュール）、ビデオエンコーダ、オーディオエンコーダなど、様々な内部モジュールから受信することができる。イレーザーエンコーダ３５０によりターボストリームの雑音を取り除くことにより、受信性能を一層高めることができる。
【００４０】
リードソロモンエンコーダ３３０は、イレーザーエンコードされたターボストリームに対してエンコードを行う。
【００４１】
インターリーバ３４０は、エンコードされたターボストリームを既に設定されたインターリービング・ルールに従ってインターリービングする。すなわち、ターボストリーム内の各バイトを一定のルールに従ってミックスする作業を行う。
【００４２】
デュプリケータ３１０は、インターリービングされたターボストリームに対してパリティ挿入領域を設ける役割をする。パリティ挿入領域を設ける方法を具体的に説明すれば、ターボストリームの構成単位である各バイトを２つまたは４つのバイトに区分する。区分された各バイトには、元バイトのビット値の一部とヌルデータ（例えば、０）が満たされる。ヌルデータが満たされた領域がパリティ挿入領域となる。
【００４３】
デュプリケータ３１０の動作をより具体的に説明すれば次の通りである。すなわち、入力を２倍の大きさにする場合であれば、１つのバイトに入るビットがＭＳＢからａ、ｂ、ｃ、ｄ、ｅ、ｆ、ｇ、ｈで表現され、その順に入力されると仮定すれば、デュプリケータ３１０の出力はａ、ａ、ｂ、ｂ、ｃ、ｃ、ｄ、ｄ、ｅ、ｅ、ｆ、ｆ、ｇ、ｇ、ｈ、ｈのように表現される。この場合ＭＳＢから表示すればａ、ａ、ｂ、ｂ、ｃ、ｃ、ｄ、ｄからなる１ｂｙｔｅと、ｅ、ｅ、ｆ、ｆ、ｇ、ｇ、ｈ、ｈからなる１ｂｙｔｅの２バイト出力が順次に出力されることが分かる。
【００４４】
入力を４倍大きさにする場合であれば、デュプリケータ３１０の出力はａ、ａ、ａ、ａ、ｂ、ｂ、ｂ、ｂ、ｃ、ｃ、ｃ、ｃ、ｄ、ｄ、ｄ、ｄ、ｅ、ｅ、ｅ、ｅ、ｆ、ｆ、ｆ、ｆ、ｇ、ｇ、ｇ、ｇ、ｈ、ｈ、ｈ、ｈのように表現される。このように４つのバイトが出力される。一方、デュプリケータ３１０は必ずしも入力ビットをコピーする必要なく、指定された位置以外の位置には他の任意の値、すなわち、ヌルデータを入れることも可能である。例えば、デュプリケータが入力を２倍にする場合であれば、上記のａ、ａ、ｂ、ｂ、ｃ、ｃ．．．出力の代わりにａ、ｘ、ｂ、ｘ、ｃ、ｘ．．．のように２つの連続したビットのうち前の部分だけ元の入力を維持し、後の部分は任意の値が入るようにしてもよい。または、これと反対に後の部分だけ元の入力を維持するようにすることもできる。出力を４倍にする場合にも、元の入力は第１、第２、第３、第４の位置のうち１カ所にのみ位置させ、残りは任意の値を入れることもできる。
【００４５】
ＭＵＸ３２０は、別に受信されるノーマルストリームとデュプリケータ３１０で処理されたターボストリームを多重化する。ノーマルストリームもまたターボストリームと同様に、種々の内外部モジュールから受信することができる。これにより、ノーマルストリームとターボストリームが混在するデュアル伝送ストリームを生成することができる。
【００４６】
生成されたデュアル伝送ストリームはランダム化、エンコード、ロバスト処理、同期信号多重化、変調などの過程を経て受信装置に送信される。この場合、ロバスト処理過程ではデュアル伝送ストリームからターボストリームのみを検出し、検出されたターボストリーム内に設けられたパリティ挿入領域、すなわち、デュプリケータ３１０により設けられたパリティ挿入領域にターボストリームに対するパリティを付加してターボストリームをロバストなデータストリームに作る作業が行われる。生成されたデュアル伝送ストリームを処理して送信する構成は従来技術を用いて多様な方式で実現することができるので詳細な説明は省略する。
【００４７】
図４及び図５は、デュプリケータ３１０がパリティ挿入領域を設ける方式の例を説明するための模式図である。まず、図４は１／２レート変換方式を示す。デュプリケータ３１０はターボストリームの各バイトに対し１／２レート変換方式を適用して２つのバイトを生成する。図４によれば、Ｄ０〜Ｄ７ビットを含む１つのバイトを４ビットずつ分けて２つのビットグループ（Ｄ０〜Ｄ３、Ｄ４〜Ｄ７）を形成する。このような状態で、各ビットグループの各ビットに１つのヌル（null）ビットを並列配置して各ビットグループをバイトに拡張する。結果的に、Ｄ４〜Ｄ７ビットを含む第１バイト（Ｄ７  ０  Ｄ６  ０  Ｄ５
０  Ｄ４  ０）、Ｄ０〜Ｄ３ビットを含む第２バイト（Ｄ３  ０  Ｄ２  ０  Ｄ１  ０  Ｄ０  ０）が生成される。第１及び第２バイトの各ビットの間のビットはパリティ挿入領域として使用される。すなわち、第１及び第２バイトの場合、第２、４、６、８番目のビットがパリティ挿入領域として使用される。このようなパリティ挿入領域の配置位置は多様に変更できる。すなわち、第２、３、６、７番目のビット、または、第３、４、５、６番目のビットがパリティ挿入領域として使用されることができる。
【００４８】
図５は、１／４レート変換方式を示す。デュプリケータ３１０はターボストリームの各バイトに対して１／４レート変換方式を適用して４つのバイトを生成する。図５によれば、 Ｄ０〜Ｄ７ビットを含む１つのバイトを２ビットずつ分けて総４つのビットグループ（Ｄ０−Ｄ１、Ｄ２−Ｄ３、Ｄ４−Ｄ５、Ｄ６−Ｄ７）を形成する。このような状態で各ビットグループの各ビットに３つのヌル（null）ビットを並列配置して各ビットグループをバイトに拡張する。具体的には、Ｄ６、Ｄ７ビットを含む第１バイト（Ｄ７  ０  ０  ０  Ｄ６  ０  ０  ０）、Ｄ４、Ｄ５ビットを含む第２バイト（Ｄ５  ０  ０  ０  Ｄ４  ０  ０  ０）、Ｄ２、Ｄ３ビットを含む第３バイト（Ｄ３  ０  ０  ０  Ｄ２  ０  ０  ０）、Ｄ０、Ｄ１ビットを含む第４バイト（Ｄ１  ０  ０  ０  Ｄ０  ０  ０  ０）に拡張される。図５によれば、各バイトで第２、３、４、５、６、７、８番目のビットがパリティ挿入領域として使用されるが、このような構造に限定されるのではない。
【００４９】
図６は、図３のリードソロモンエンコーダ３３０でエンコードされたパケット構造の一例を示す図である。図３のリードソロモンエンコーダ３３０はイレーザーエンコーダ３５０から同期信号、ＰＩＤ（Packet  IDentity）、ターボデータ領域で構成されたターボストリームを受信する。全体ターボストリームパケットは１８８ｂｙｔｅで構成されることができ、このうち同期信号（ＳＹＮＣ）が１バイト、ＰＩＤ（Packet  Identity）が３バイト、ターボデータが１８４バイトで構成されることができる。リードソロモンエンコーダ３３０はターボストリームのうち同期信号を取り除き、ターボデータ領域に対するパリティを演算して２０バイト大きさのパリティを付加する。結果的に、最終エンコードされたターボストリームの１パケットは総２０７バイトで構成され、そのうち３つのバイトはＰＩＤ（Packet  IDentity）、１８４バイトはターボデータ、２０バイトはパリティに割り当てられる。
【００５０】
一方、図３のデュアル伝送ストリーム生成装置３００において、リードソロモンエンコーダ３３０及びインターリーバ３４０のうち少なくとも１つは省略可能である。さらに、インターリーバ３４０がリードソロモンエンコーダ３３０の前段に配置されてもよい。
【００５１】
図７は、本発明のデュアル伝送ストリーム生成装置で生成するデュアル伝送ストリーム構造の一例を示す模式図である。図７に示すように、デュアル伝送ストリームは複数個の連続するパケットで構成される。１つのパケットは１８８バイトで構成されることができる。具体的には、１つのパケットは同期信号（ＳＹＮＣ）１バイトとＰＩＤ（Packet  Identity）３バイト、データ領域１８４バイトで構成される。図９に示すように、デュアル伝送ストリームのうち所定パケットに対してのみロバストデータ、すなわち、ターボストリームが配置される。具体的には、図９はデュアル伝送ストリーム１フィールド（Ｆｉｅｌｄ）の３１２パケット内にターボストリーム７８パケットを挿入した形態を示す。この場合、デュアル伝送ストリームは、ターボストリーム及びノーマルストリームパケットが１：３比率で４パケットずつ反復される構成である。すなわち、ターボストリーム１パケット（１８８ｂｙｔｅ）とノーマルストリーム３パケット（１８８ｂｙｔｅ）が順次に連結されている。なお、デュアル伝送ストリームの構成は、本発明の多様な実施例により様々に変更することができる。
【００５２】
一方、本発明の一実施例によるデュアル伝送ストリーム生成方法は、図３を参照して説明できるので、フローチャートは省略する。すなわち、ノーマルストリーム及びターボストリームをそれぞれ別に受信してターボストリームに対してのみイレーザーエンコードを行う。その後、ターボストリームに対してパリティ挿入領域を設けた後、ターボストリーム及びノーマルストリームを多重化してデュアル伝送ストリームを生成することができる。この場合、パリティ挿入領域を設けるに先立って、ターボストリームをエンコードすることができ、エンコードされたターボストリームをインターリービングすることもできる。パリティ挿入領域を設ける方法を図４及び図５を参照して説明し、エンコードされたターボストリーム構造を図６で説明したので追加説明は省略する。
【００５３】
一方、本発明の各ブロックは、コンピューター読取可能な記録媒体上のコンピュータ記録可能なコードとして実施されることができる。コンピュータ読取可能な記録媒体としてはコンピューターシステムにより読み取ることができるデータを保存するデータ保存デバイスを用いることができる。例えば、コンピュータ読取可能な記録媒体はロム（ＲＯＭ）、ラム（ＲＡＭ）、ＣＤロム（ＣＤ−ＲＯＭｓ）、マグネチックテープ、フロッピー（登録商標）ディスク、光ディスク、光データ保存デバイスを用いることができる。また、コンピューター読取可能なコードは搬送波のコンピューターデータ信号により実施することができる。
【００５４】
一方、本発明の詳細な説明では、具体的な実施例について説明したが、本発明はこれに限るものでなく、各種の変形が本発明の特許請求の範囲を逸脱しない限り、該当技術分野における通常の知識をもつ者により可能なのは明らかである。また、このような変形実施例は本発明の技術的思想や展望から個別的に理解されてはならない。
【図面の簡単な説明】
【００５５】
【図１】従来のデジタル放送（ＡＴＳＣ  ＶＳＢ）送受信システムの構成を示すブロック図である。
【図２】従来のＡＴＳＣ  ＶＳＢデータのフレーム構造を示す例示図である。
【図３】本発明の一実施例によるデュアル伝送ストリーム生成装置の構成を示すブロック図である。
【図４】図３のデュアル伝送ストリーム生成装置のパリティ挿入領域の生成過程の様々な例を説明するための模式図である。
【図５】図３のデュアル伝送ストリーム生成装置のパリティ挿入領域の生成過程の様々な例を説明するための模式図である。
【図６】図３のデュアル伝送ストリーム生成装置におけるリードソロモンエンコードされたパケット構造の一例を示す模式図である。
【図７】本発明のデュアル伝送ストリーム生成装置で生成されるデュアル伝送ストリーム構成の一例を示す模式図である。
【符号の説明】
【００５６】
３１０  デュプリケータ
３２０  ＭＵＸ
３３０  リードソロモンエンコーダ
３４０  インターリーバ
３５０  イレーザーエンコーダ
【図１】
2009524941.tif 000003
【図２】
2009524941.tif 000004
【図３】
2009524941.tif 000005
【図４】
2009524941.tif 000006
【図５】
2009524941.tif 000007
【図６】
2009524941.tif 000008
【図７】
2009524941.tif 000009
【国際調査報告】
2009524941.tif 000010
2009524941.tif 000011